(57)【要約】【課題】  保守点検作業効率を向上することができるとともに、保守点検作業の安全性を十分に確保することができるエレベータシステムを提供する。【解決手段】  エレベータシステム１は、かご室２を昇降させる巻上機４と、かご室２及び巻上機４を制御する制御盤５と、動力電源６から制御盤５に供給される電力を遮断するブレーカー７と、制御盤５に電力を供給又は遮断する遠隔操作用スイッチ８１と、遠隔操作用スイッチ８１を遠隔操作する遠隔操作部８２とを備えている。【選択図】    図１
2006225090.tif 000002
【特許請求の範囲】
【請求項１】
かご室を昇降させる巻上機と、
前記かご室及び前記巻上機を制御する制御盤と、
動力電源から前記制御盤に供給される電力を遮断するブレーカーと、
前記制御盤に電力を供給又は遮断する遠隔操作用スイッチと、
前記遠隔操作用スイッチを遠隔操作する遠隔操作部と、
を備えたことを特徴とするエレベータシステム。
【請求項２】
前記遠隔操作用スイッチは、前記制御盤内又は動力電源と制御盤との間の電力供給経路に配設されていることを特徴とする、請求項１に記載のエレベータシステム。
【請求項３】
前記遠隔操作部は、前記かご室の外側上部に設けられていることを特徴とする、請求項１又は請求項２に記載のエレベータシステム。
【請求項４】
前記遠隔操作部は、前記かご室の内側に設けられていることを特徴とする、請求項１又は請求項２に記載のエレベータシステム。
【請求項５】
前記遠隔操作部は、前記かご室が昇降する昇降路内に設けられていることを特徴とする、請求項１又は請求項２に記載のエレベータシステム。
【請求項６】
前記かご室と前記制御盤との間は移動ケーブルにより接続され、前記遠隔操作用スイッチは前記移動ケーブルを通して前記遠隔操作部により制御されることを特徴とする、請求項１ないし請求項５のいずれかに記載のエレベータシステム。
【請求項７】
前記遠隔操作用スイッチは前記遠隔操作部から無線通信により操作されることを特徴とする、請求項１ないし請求項５のいずれかに記載のエレベータシステム。
【発明の詳細な説明】
【技術分野】
【０００１】
本発明は、エレベータシステムに関し、特に保守点検を効率的に行うことができるエレベータシステムに関する。
【背景技術】
【０００２】
建築物の高層化が進むにつれ、目的階床までの移動手段としてエレベータは欠かせないものとなっている。また、多くのマンションやオフィスビル等の商業施設に使用されるエレベータシステムにおいては、複数台のエレベータを常時稼動させて、利用者を少しでも早く目的階に搬送する運行管理が行われている。
【０００３】
利用者の安全性を確保するために、エレベータシステムにおいては、保守点検作業を定期的に実施することが義務付けられている。運行管理の複雑化に伴い、保守点検作業の内容は益々複雑化する傾向にある。一方、エレベータを常時稼働させる運行管理を実施する場合、保守点検作業において長時間にわたってエレベータシステムを停止することは難しく、保守点検作業を正確かつ迅速に行う必要がある。このような制約を考慮しつつ、エレベータシステムの保守点検作業には、その効率を高めながら、それを行う作業者の安全性を十分に確保することが要求されている。
【０００４】
図３に示すように、一般的なエレベータシステム１００は、昇降路１０１内を昇降自在に移動するかご室１０２と、電力を供給する動力電源１０３と、電力の供給を遮断するブレーカー１０４と、一端にかご室１０２が連結されたメインロープ１０６が巻き回されかご室１０２を昇降させる巻上機１０８と、メインロープ１０６の他端に連結された釣り合い錘１０７と、巻上機１０８及びかご室１０２に供給される電力を制御する制御盤１０５とを備えている。かご室１０２と制御盤１０５との間はかご室１０２の昇降に伴って移動する移動ケーブル１０９を通して接続されており、制御盤１０５からこの移動ケーブル１０９を通してかご室１０２に電力や制御信号が供給されている。また、動力電源１０３、ブレーカー１０４及び制御盤１０５は昇降路１０１とは別の機械室１１０に設置されている。
【０００５】
このように構築されるエレベータシステム１００の保守点検作業は、以下の手順において行われる。まず、作業者は、かご室上１０２ａに乗り込み、昇降路１０１内においてかご室１０２を作業しやすい位置まで移動させる。かご室１０２の移動の制御はかご室上１０２ａにおいてリモートコントローラによって行われる。
【０００６】
ここで、保守点検作業上の安全性を確保するために、作業者は、一旦かご室上１０２ａから降りてエレベータシステム１００の機械室１１０に行き、ブレーカー１０４を操作し、動力電源１０３から制御盤１０５への電力の供給を遮断する。作業者は、改めてかご室上１０２ａに戻り、保守点検作業を再開する。保守点検作業が終了した後、作業者は、再度、かご室上１０２ａからかご室１０２内に降り、そして機械室１１０へ行き、ブレーカー１０４を操作し、動力電源１０３から制御盤１０５への電力の供給を再開する。
【発明の開示】
【発明が解決しようとする課題】
【０００７】
しかしながら、前述のエレベータシステム１００の保守点検作業においては、その安全性を確保するために、作業者が、かご室上１０２ａから機械室１１０に移動し、ブレーカー１０４を操作する作業を必要としている。そのため、この作業者の移動や作業の分、保守点検作業効率が低下してしまうだけでなく、保守点検作業時間が長くなる。特に、この傾向は、エレベータの高層化やエレベータ台数の増加に伴い、顕著になる。
【０００８】
また、保守点検作業において、作業者は予めかご室１０２の停止位置を決めてから電力を遮断するが、エレベータシステム１００の構造やかご室１０２の停止位置によっては乗り場戸が遠くなり、作業者が乗り場へ出られないことやかご室上１０２ａから降りられない場合がある。このような場合には、かご室上１０２ａにおいて保守点検作業を行う作業者に加えて、ブレーカー１０４を操作するだけの別の作業者が必要になり、保守点検作業に対する作業者数が増加するので、保守点検作業効率が低下してしまう。
【０００９】
また、保守点検作業中において、かご室上１０２ａに設置している電気回路が万が一故障し、即座にブレーカー１０４を遮断する必要が発生しても、これに対応することができない。
【００１０】
本発明は上記課題を解決するためになされたものであり、その目的は、保守点検作業効率を向上することができるとともに、保守点検作業の安全性を十分に確保することができるエレベータシステムを提供することである。
【課題を解決するための手段】
【００１１】
本発明の実施の形態に係る特徴は、エレベータシステムにおいて、かご室を昇降させる巻上機と、かご室及び巻上機を制御する制御盤と、動力電源から制御盤に供給される電力を遮断するブレーカーと、制御盤に電力を供給又は遮断する遠隔操作用スイッチと、遠隔操作用スイッチを遠隔操作する遠隔操作部とを備えたことである。
【発明の効果】
【００１２】
本発明によれば、保守点検作業効率を向上することができるとともに、保守点検作業の安全性を十分に確保することができるエレベータシステムを提供することができる。
【発明を実施するための最良の形態】
【００１３】
以下、本発明の実施の形態について、図面を参照して詳細に説明する。
【００１４】
（第１の実施の形態）
図１に示すエレベータシステム１は、かご室２を昇降路３内において昇降させる巻上機４と、かご室２及び巻上機４を制御する制御盤５と、動力電源６から制御盤５に供給される電力を遮断するブレーカー７と、制御盤５に電力を供給する又は電力の供給を遮断をする遠隔操作用スイッチ８１と、遠隔操作用スイッチ８１を遠隔操作において導通又は遮断する遠隔操作部８２とを備えている。
【００１５】
巻上機４に巻きかけられたメインロープ９の一端はかご室２に連結され、メインロープ９の他端は釣り合い錘１０に連結されている。巻上機４には動力電源６からブレーカー７、制御盤５のそれぞれを通して電力が供給され、この供給された電力によって巻上機４は回転する。この巻上機４の回転によって昇降路３内においてかご室２が上昇し、又下降する。
【００１６】
制御盤５の内部には、かご室２の内部に配設された操作部２０及び図示しない各乗り場に配設された操作部からの指令に基づき、巻上機４の回転を制御するエレベータ制御部５０が配設されている。エレベータ制御部５０は巻上機４に供給する電力を制御する。エレベータ制御部５０はＣＰＵを含む回路システムにより構築されている。制御盤５とかご室２との間は移動ケーブル１１を通して接続されており、制御盤５０のエレベータ制御部５０とかご室２内部の操作部２０との間は移動ケーブル１１内部に組み込まれた信号線１１ａを通して接続されている。
【００１７】
遠隔操作用スイッチ８１は、第１の実施の形態において、制御盤５内部に配設され、ブレーカー７とエレベータ制御部５０との間に挿入されている。つまり、遠隔操作用スイッチ８１は、動力電源６からブレーカー７を通してエレベータ制御部５０に電力を供給するか、又は電力の供給を遮断する。遠隔操作用スイッチ８１には例えばリレーを使用することができる。
【００１８】
遠隔操作部８２は、第１の実施の形態において、作業者１２が保守点検作業を効率良く行うために、かご室上２ａに配設されている。遠隔操作部８２と遠隔操作用スイッチ８１との間は移動ケーブル１１内に組み込まれた信号線１１ｂを通して電気的に接続されている。つまり、遠隔操作部８２を作業者１２が操作することにより、かご室上２ａにおいて遠隔操作用スイッチ８１を操作することができ、ブレーカー７の投入、遮断に関係なく、動力電源６からエレベータ制御部５０への電力の供給、遮断の制御を行うことができる。また、遠隔操作部８２と遠隔操作用スイッチ８１との間を接続する信号線１１ｂを既存の移動ケーブル１１内に組み込むことにより、信号線１１ｂを新たに敷設する必要がない。遠隔操作部８２には、作業者１２以外の人が勝手に操作することができないキースイッチを使用することができる。また、作業者１２以外の人が立ち入ることができない場所に遠隔操作部８２を配設する場合には、特にキースイッチに限らず、遠隔操作部８２には、レバースイッチ、トグルスイッチ、プッシュボタンスイッチ、ディプスイッチ、ロータリースイッチ等の市販されているスイッチを使用することができる。
【００１９】
第１の実施の形態において、前述の動力電源６、ブレーカー７、制御盤５は昇降路３の上部の機械室１Ｍの内部に設置されている。なお、第１の実施の形態は、機械室１Ｍを昇降路３の下部に配設したエレベータシステム１に適用してもよい。また、第１の実施の形態は、機械室１Ｍという室を特に配備せず、昇降路３内部に制御盤５等を配設したエレベータシステム１にも適用することができる。
【００２０】
次に、前述のエレベータシステム１の保守点検作業の手順について説明する。まず最初に、作業者１２はかご室上２ａに乗り込み、昇降路３内においてかご室２を作業しやすい位置まで移動させる。かご室２の移動の制御はかご室上２ａにおいて図示しないリモートコントローラによって行われる。
【００２１】
ここで、保守点検作業上の安全性を確保するために、作業者１２は、かご室上２ａ上において遠隔操作部８２を操作し、動力電源６からブレーカー７を通してエレベータ制御部５０に供給されている電力を遠隔操作用スイッチ８１により遮断する。つまり、作業者１２においては、一旦かご室上２ａから乗り場に降りて機械室１Ｍに移動し、ブレーカー７を操作して電力の供給を遮断する作業と、機械室１Ｍから再度かご室上２ａに移動することとがなくなる。作業者１２は、エレベータ制御部５０への電力の供給が遮断され、かご室２が昇降路３内において完全に停止した安全な状態において、保守点検作業を行うことができる。
【００２２】
かご室２が停止した位置において保守点検作業が終了すると、作業者１２は、かご室上２ａ上において遠隔操作部８２を操作し、遠隔操作用スイッチ８１を導通させ、動力電源６からブレーカー７を通してエレベータ制御部５０に電力を供給する。つまり、作業者１２においては、一旦かご室上２ａから乗り場に降りて機械室１Ｍに移動し、ブレーカー７を操作して電力の供給を行う作業と、機械室１Ｍから再度かご室上２ａに移動することとがなくなる。
【００２３】
このように、第１の実施の形態に係るエレベータシステム１においては、遠隔操作用スイッチ８１と遠隔操作部８２とを備えることにより、動力電源６からブレーカー７を通して制御盤５のエレベータ制御部５０に電力を供給又は遮断する作業をかご室上２ａにおいて行えるようにしたので、保守点検作業効率を向上することができるとともに、安全性を十分に確保することができる。
【００２４】
なお、第１の実施形態においては、遠隔操作部８２をかご室上２ａに設けた例を説明したが、本発明においては、遠隔操作部８２をかご室上２ａ以外の場所、例えば、かご室２の内部や昇降路３の内部に配設することができる。また、本発明は、遠隔操作部８２をかご室２及び昇降路３の内部に、若しくは昇降路３の内部の複数箇所に配設してもよい。
【００２５】
（第２の実施の形態）
次に、本発明の第２の実施の形態について説明する。なお、第２の実施の形態の説明において、第１の実施の形態に係るエレベータシステム１の構成要素と同一構成要素には同一符号を付け、その説明は重複するので省略する。
【００２６】
図２に示すように、第２の実施の形態に係るエレベータシステム１は、無線通信に基づく指令により遠隔操作用スイッチ８１の導通又は遮断の制御を行う無線通信駆動部８４と、第１の実施の形態に係るエレベータシステム１の遠隔操作部８２と同等の機能を有しかつ無線通信機能を有する遠隔操作部８３とを備えている。つまり、作業者１２が、遠隔操作部８３を操作することにより、その操作指令が通信により無線通信駆動部８４に送信され、この送信された操作指令に基づき遠隔操作用スイッチ８１による電力の供給又は遮断を行うことができる。
【００２７】
このように、第２の実施の形態に係るエレベータシステム１においては、第１の実施の形態に係るエレベータシステム１により得られる効果と同様の効果を得ることができるとともに、遠隔操作用スイッチ８１と遠隔操作部８２とを接続する信号線（有線）をなくすことができる。更に、遠隔操作部８３の配設位置が固定されていないので、保守点検作業範囲内において広く持ち運びができ、保守点検作業効率をより一層向上することができる。
【００２８】
なお、本発明は上記実施の形態に限定されるものではない。例えば、上記実施の形態は単一昇降路３を備えたエレベータシステム１について説明したが、本発明は、複数の昇降路を備えたエレベータシステムに適用することもできる。
【００２９】
更に、本発明は、エレベータに限定されるものではなく、エスカレータシステムや移動歩道システムに適用することができる。具体的には、移送面を駆動する駆動装置を制御する制御盤に、駆動電源からブレーカーを通して電力が供給されるエスカレータシステムや移動歩道システムにおいて、制御盤に電力を供給又は遮断する遠隔操作用スイッチを配設するとともに、この遠隔操作用スイッチの遠隔操作を行う遠隔操作部を配設すればよい。
【図面の簡単な説明】
【００３０】
【図１】本発明の第１の実施の形態に係るエレベータシステムの概略構成図である。
【図２】本発明の第２の実施の形態に係るエレベータシステムの概略構成図である。
【図３】従来技術に係るエレベータシステムを示す概略構成図である。
【符号の説明】
【００３１】
１  エレベータシステム
２  かご室
２ａ  かご室上
３  昇降路
４  巻上機
５  制御盤
５０  エレベータ制御部
６  動力電源
７  ブレーカー
８１  遠隔操作用スイッチ
８２、８３  遠隔操作部
８４  無線通信駆動部
９  メインロープ
１０  釣り合い錘
１１  移動ケーブル
１１ａ、１１ｂ  信号線
【図１】
2006225090.tif 000003
【図２】
2006225090.tif 000004
【図３】
2006225090.tif 000005